(57)【要約】【課題】氷柱形成の抑制を図った照明器具を提供する。【解決手段】器具本体１０の内部に、光源部５０を有する光源室５８を備えた照明器具１において、光源室５８の両脇に沿って、天面１１Ｂから突出する突出部１９が形成されており、突出部１９の根元１９Ｂには、器具本体１０の天面１１Ｂから底面１１Ａに連通する排水孔７０が備えられている。【選択図】図６
2018106988.tif 000002
【特許請求の範囲】
【請求項１】
器具本体の内部に、光源部を有する光源室を備えた照明器具において、
前記光源室の両脇に沿って、天面から突出する突出部が形成されており、
前記突出部の根元には、前記器具本体の天面から底面に連通する排水孔が備えられている
ことを特徴とする照明器具。
【請求項２】
前記光源室の天面は、裏面に前記光源部が熱的に接続されていることを特徴とする請求項１に記載の照明器具。
【請求項３】
前記突出部の上面は、前記器具本体の天面に向かって下方に傾斜していることを特徴とする請求項１または２に記載の照明器具。
【請求項４】
前記突出部の内部に、前記光源部に電源を供給する電源部を配置したことを特徴とする請求項１乃至３のいずれかに記載の照明器具。
【請求項５】
前記光源室の天面には、前記排水孔に向かって下方に傾斜するガイド部が設けられ、前記ガイド部は、前記天面の中央の側に向かって傾斜していることを特徴とする請求項１乃至４のいずれかに記載の照明器具。
【請求項６】
前記器具本体は、前記排水孔を挟んで前記光源室に対向する位置に結線室が設けられている
ことを特徴とする請求項１乃至５のいずれかに記載の照明器具。
【請求項７】
前記排水孔は、当該排水孔を挟んで対向する前記光源室側の面と、前記結線室側の面とは、前記光源室側の面が、前記結線室側の面に比べて傾斜が緩やかに形成されていることを特徴とする請求項６に記載の照明器具。
【請求項８】
前記排水孔は、前記結線室を塞ぐ蓋体で庇状に覆われていることを特徴とする請求項６または７に記載の照明器具。
【請求項９】
前記光源室の天面には、一対の前記突出部の根元にそれぞれ設けられた前記排水孔に向かうように水を分流させる分流部が設けられていることを特徴とする請求項１乃至８のいずれかに記載の照明器具。
【請求項１０】
前記排水孔は、当該排水孔を挟んで対向する前記光源室側の面と、前記結線室側の面とは、前記光源室側の面の下端部が、前記結線室側の面の下端部に比べて下方に位置することを特徴とする請求項６乃至９のいずれかに記載の照明器具。
【発明の詳細な説明】
【技術分野】
【０００１】
本発明は、照明器具に関する。
【背景技術】
【０００２】
従来、ＬＥＤを光源とした街路灯や道路灯などの照明器具が知られている。これらの照明器具が積雪地帯で用いられた場合には、器具本体に積もった雪の雪解け水により器具本体から氷柱が形成される。そこで、従来から、氷柱が発生しにくい構成とした照明器具が知られている（例えば、特許文献１参照）。これらの照明器具では、ＬＥＤの発する熱を器具本体の下端部外面に伝達することで、下端部外面から垂れ落ちる雪解けの雫が凍って氷柱の根っことなる部分が器具本体に付着するのを防止している。
【先行技術文献】
【特許文献】
【０００３】
【特許文献１】特開２０１２−９１６６号公報
【発明の概要】
【発明が解決しようとする課題】
【０００４】
ところで、街路灯や道路灯などの照明器具は、基端部を電柱等の支柱に固定し、先端部が基端部よりも高くなるように斜めに傾斜して設置される。これにより、雪解け水は、器具本体の天面を先端部側から基端部側に向かって流れ、下端部となる基端部の外面から垂れ落ちる。ＬＥＤの発する熱を器具本体の基端部の外面に伝達させる構成では、器具本体の上部の積雪が多い場合には、器具本体の上部が低温となり、氷の層が形成される。このように、器具本体の上部に氷の層が形成された場合には、この氷の層から氷柱が形成される場合があった。
【０００５】
そこで本発明は、上述した事情に鑑みてなされたものであり、氷柱形成の抑制を図った照明器具を提供することを目的とする。
【課題を解決するための手段】
【０００６】
本発明は、器具本体の内部に、光源部を有する光源室を備えた照明器具において、前記光源室の両脇に沿って、天面から突出する突出部が形成されており、前記突出部の根元には、前記器具本体の天面から底面に連通する排水孔が備えられていることを特徴とする。
【０００７】
また、上記照明器具において、前記光源室の天面は、裏面に前記光源部が熱的に接続されていることを特徴としても良い。
【０００８】
また、上記照明器具において、前記突出部の上面は、前記器具本体の天面に向かって下方に傾斜していることを特徴としても良い。
【０００９】
また、上記照明器具において、前記突出部の内部に、前記光源部に電源を供給する電源部を配置したことを特徴としても良い。
【００１０】
また、上記照明器具において、前記光源室の天面には、前記排水孔に向かって下方に傾斜するガイド部が設けられ、前記ガイド部は、前記天面の中央の側に向かって傾斜していることを特徴としても良い。
【００１１】
また、上記照明器具において、前記器具本体は、前記排水孔を挟んで前記光源室に対向する位置に結線室が設けられていることを特徴としても良い。
【００１２】
また、上記照明器具において、前記排水孔は、当該排水孔を挟んで対向する前記光源室側の面と、前記結線室側の面とは、前記光源室側の面が、前記結線室側の面に比べて傾斜が緩やかに形成されていることを特徴としても良い。
【００１３】
また、上記照明器具において、前記排水孔は、前記結線室を塞ぐ蓋体で庇状に覆われていることを特徴としても良い。
【００１４】
また、上記照明器具において、前記光源室の天面には、一対の前記突出部の根元にそれぞれ設けられた前記排水孔に向かうように水を分流させる分流部が設けられていることを特徴としても良い。
【００１５】
また、上記照明器具において、前記排水孔は、当該排水孔を挟んで対向する前記光源室側の面と、前記結線室側の面とは、前記光源室側の面の下端部が、前記結線室側の面の下端部に比べて下方に位置することを特徴としても良い。
【発明の効果】
【００１６】
本発明では、光源室の両脇に沿って、天面から突出する突出部が形成されており、前記突出部の根元には、器具本体の天面から底面に連通する排水孔が備えられている。これによって、器具本体の側面、及び、排水孔から氷柱が発生するのを防ぐことができ、氷柱形成の抑制を図った照明器具を提供することができる。
【図面の簡単な説明】
【００１７】
【図１】本発明の実施形態に係る照明器具を下方からみた斜視図である。
【図２】照明器具を上方からみた斜視図である。
【図３】照明器具を下方から見た平面図である。
【図４】照明器具の基部蓋体を開いた状態を示す斜視図である。
【図５】図２のＩ−Ｉ断面図である。
【図６】筐体の天面を示す平面図である。
【図７】図６のＩＩ−ＩＩ断面図である。
【図８】図２のＩＩＩ−ＩＩＩ断面図である。
【発明を実施するための形態】
【００１８】
以下、図面を参照して本発明の実施形態について説明する。
図１は本実施形態に係る照明器具１を下方からみた斜視図であり、図２は照明器具１を上方からみた斜視図である。図３は照明器具１を下方から見た平面図であり、照明器具１の内部を示すために、前面カバー１２及び前面枠１３を取り外した状態の照明器具１を示している。
【００１９】
照明器具１は、屋外に設置して、例えば道路照明として用いられる。図１〜図３に示すように、照明器具１は、器具本体１０を備え、器具本体１０の長手の一端である基端１０Ａを、道路脇、街路脇、駐車場、公園などの屋外に立設された不図示のポール型の支柱の上端部に支持させて設置される。照明器具１は、例えば、器具本体１０の基端１０Ａから先端１０Ｂ（他端）に向かう長さＬの方向を道路の幅員方向に合わせて、幅Ｗの方向を道路の車線軸方向に合わせて、道路脇に設置される。また、照明器具１は、構造物の壁面からアーム状に延びる不図示の支持部材に器具本体１０の基端１０Ａを支持させて設置されても良い。器具本体１０の基端１０Ａの側には、照明器具１を支柱や支持部材に支持させるためのクランプ５が取り付けられている。
【００２０】
器具本体１０は、平面視略矩形状を成している。また、器具本体１０は、長さＬが幅Ｗよりも大きい縦長形状であり、上下方向の厚さＴが、長さＬや幅Ｗに対して薄い、薄型の器具である。なお、器具本体１０の幅Ｗの方向を、照明器具１の左右方向として以下の説明をする。
【００２１】
器具本体１０は、筐体１１と、前面カバー１２と、前面枠１３と、を備えている。筐体１１と、前面カバー１２と、前面枠１３と、は屋外使用に十分に耐え得る耐食性、及び強度を有する部材から形成されている。筐体１１は、高い熱伝導性を有する材料から形成され、例えばアルミニウムやアルミニウム合金等から成る鋳造物（所謂ダイキャスト製）であるのが望ましい。筐体１１は、その内部が器具本体１０の基端１０Ａの側の結線室２１と、先端１０Ｂの側の光源室５８とに仕切り５６で仕切られている。結線室２１には後述するクランプ５が配設され、光源室５８には後述する光源部５０が配設されている。
【００２２】
前面カバー１２は、耐食性、及び強度を有するガラスやポリカーボネート等の材料から形成され、光透過性を有している。前面枠１３は、アルミニウムやアルミニウム合金等から成る鋳造物であっても良いし、耐食性、及び強度を有する強化プラスチック等の金属以外の材料から形成されていても良い。
器具本体１０は、基端１０Ａの側に、基部２０を備えている。基部２０は、筐体１１に一体に形成されている。基部２０には、器具本体１０を支柱や支持部材に取り付けるためのクランプ５が取り付けられている。
【００２３】
筐体１１は、設置状態で被照射面に対向する面である底面１１Ａが開放した箱型に形成されている。光源室５８は、筐体１１の開放した底面１１Ａによって外部に露出される。前面カバー１２は、筐体１１の開放した底面１１Ａを覆い、光源室５８の内部の防水を図るように構成されている。前面カバー１２には、外輪の全周に沿ってパッキン１８が取り付けられ、当該パッキン１８によって前面カバー１２と光源室５８の内面との間が水密にシールされる。
【００２４】
前面枠１３は、筐体１１の底面１１Ａに前面カバー１２を固定するために用いられ、外輪形状が筐体１１の外輪形状と略同一の枠状に形成されている。前面枠１３には、前面カバー１２を被照射面に臨ませる出射開口１４が設けられている。パッキン１８は、前面カバー１２の外輪と、筐体１１の内面との間に介在すると共に、筐体１１の底面１１Ａと、前面枠１３との間に介在するように構成された断面略Ｕ字状に形成されている。これにより、筐体１１は、前面カバー１２を前面枠１３によって底面１１Ａに固定することで、底面１１Ａが閉塞され、光源室５８の内部が防水される。
【００２５】
器具本体１０内には、図３に示すように光源部５０が収められている。光源部５０は、発光素子の一例であるＬＥＤ５３を光源として複数備えている。また、光源部５０は、複数のＬＥＤ５３が実装された実装基板５１と、ＬＥＤ５３の光を制御する光学部材５５とを備えている。光学部材５５には、各ＬＥＤ５３を覆って配置されるレンズ５４が、各ＬＥＤ５３に対応させて複数設けられている。光源部５０は、発光面側を前面カバー１２に対向させて配置されている。これによって、照明器具１は、光源部５０からの光が前面カバー１２を通して出射開口１４から出射され、被照射面を照射するように構成されている。
また、筐体１１の内部には、光源部５０に並べて、電源部６０が収められている。電源部６０は、照明器具１の外部から供給される商用電力を、光源部５０の規格に合せて電力変換する機器である。
【００２６】
図４は、基部２０の内部構成を示す図である。図４に示すように、基部２０は、中空箱型に形成され、内部空間が結線室２１として構成されている。結線室２１の内部では、クランプ５を通して基部２０内に引き込まれた配線が器具本体１０内に収められた光源部５０及び電源部６０からの配線と結線される。また、基部２０には、結線室２１を防水する蓋体２２が設けられている。蓋体２２は、筐体１１の天面１１Ｂに開閉可能に設けられている。結線室２１は、蓋体２２を開いた際には筐体１１の天面１１Ｂ側から外部に開放され、蓋体２２を閉じた際には、内部が防水されるように構成されている。
【００２７】
図５は、照明器具１の断面図である。
図５に示すように、筐体１１には、天面１１Ｂに複数の放熱フィン１６が設けられている。放熱フィン１６は、天面１１Ｂにおいて、筐体１１の内部に光源部５０が取り付けられる取付面１５の裏面に相当する位置に複数設けられている。これによって、光源部５０から取付面１５に伝熱された熱は、取付面１５の裏面部分に設けられた放熱フィン１６に伝わりやすい構成となっており、放熱フィン１６から雰囲気に放熱される。よって、光源部５０が高温となることが無く、ＬＥＤ５３が熱影響を受けにくい構成とすることができる。
【００２８】
筐体１１の内側には、電源部６０を収める凹部３０が設けられている。凹部３０は、筐体１１の天面を取付面１５に取り付けられた光源部５０の光の放射方向とは反対側に凹ませて設けられている。凹部３０は、取付面１５の長さ方向の延在範囲に亘って延びている。
電源部６０は、電源基板６１と、電源基板６１の表面に実装される複数種の電子部品６２とから構成されている。電源基板６１は、絶縁性を有する材料から長板状に形成されている。電源部６０は、電源ケース６３の内側に収められて、筐体１１の内部に収容される。電源ケース６３は、ＰＰ樹脂等の絶縁性を有する樹脂材から矩形筒状に形成されている。
【００２９】
凹部３０は、取付面１５を間に挟んだ位置に一対設けられている。また、一対の凹部３０は、筐体１１の幅方向、つまり、照明器具１の車線軸方向に沿って取付面１５と並べて、取付面１５の両脇に設けられている。凹部３０は、筐体１１の天面１１Ｂを膨出させて形成されており、筐体１１の天面１１Ｂには、左右の縁に沿って突出部１９が設けられている。突出部１９は、天面１１Ｂよりも一段高く形成され、光源室５８の長手に亘って延びている。
【００３０】
このように、電源部６０を収める凹部３０を、車線軸方向に沿って並べて設けられているため、筐体１１の長さＬの寸法が大きくなるのを防ぐことができる。上述したように、照明器具１は器具本体１０の基端１０Ａ側をクランプ５によって支持するため、筐体１１の長さＬの寸法が大きくなった場合には、クランプ５にかかる力（モーメント）が大きくなる。よって、筐体１１の長さ寸法が大きくなるのを防ぐことで、クランプにかかる力を低減することができる。
【００３１】
ところで、上述したように、器具本体１０は、筐体１１の天面１１Ｂが平らな面であり、且つ、天面１１Ｂには、この平らな面の左右の両縁に沿って突出部１９が設けられているため、降雪時に上部に雪が積もりやすい。筐体１１は、設置状態において、天面１１Ｂが、先端１０Ｂから基端１０Ａに向かって下方に傾斜している。このため、天面１１Ｂの雨水や雪どけ水は、基端１０Ａの側に向かって流れる。
【００３２】
突出部１９は、光源室５８の天面１１Ｂに、左右の側縁に沿って土手状に延びている。また、突出部１９の上面１９Ｃは、筐体１１の天面１１Ｂに向かって斜め下方に傾斜する傾斜面となっている。突出部１９の内部には、凹部３０に電源部６０が収められている。突出部１９には、電源部６０から熱が伝熱され、突出部１９の上面１９Ｃに積もった雪は、電源部６０からの熱によって溶かされる。突出部１９の上面Ｄで発生した雪解け水は、傾斜する上面１９Ｃを沿って、天面１１Ｂに流れる。この構成により、光源室５８の天面１１Ｂでは、雨水や雪どけ水が、光源室５８の左右の側面１９Ａから垂れ落ちることがなく、天面１１Ｂの上で基端１０Ａに向かって流れる。
なお、突出部は天面１１Ｂの左右の側縁に加え先端１０Ｂ側に設ける構成であっても良い。この構成により雨水や雪解け水は先端１０Ｂから天面１１Ｂに誘導され、先端１０Ｂでの氷柱の発生を防ぐことができる。
【００３３】
図６は、筐体１１を天面１１Ｂ側から見た平面図である。
図６に示すように、筐体１１には、光源室５８と結線室２１との境目に、筐体１１の天面１１Ｂから底面１１Ａに連通する排水孔７０が設けられている。排水孔７０は、一対の突出部１９の根元１９Ｂにそれぞれ設けられている。排水孔７０は、筐体１１の略中央で光源室５８と結線室２１とを連結する連結部７９を挟んだ位置に設けられている。連結部７９には、蓋体２２が取り付けられている。また、光源室５８の天面１１Ｂには、連結部７９に突設された分流部８０が設けられている。分流部８０は、基端１０Ａの側に向かって上方に傾斜するスロープ状に天面１１Ｂを隆起させて形成されている。筐体１１の天面１１Ｂの上を基端１０Ａの側に向かって流れる雨水や雪解け水は、分流部８０の傾斜面によって、左右の排水孔７０の夫々に向かう方向に分流される。
【００３４】
筐体１１の天面１１Ｂには、分流部８０の両脇であって、分流部８０と突出部１９との間に、排水孔７０に向かう排水路７１が形成されている。筐体１１の天面１１Ｂの上を基端１０Ａの側に向かって流れる雨水や雪解け水は、分流部８０によって左右の排水路７１に導かれる。この構成によれば、天面１１Ｂからの排水を、二つの排水孔７０に分流させているため、排水されやすいどちらか一方の排水孔７０から排水を行うことができる。また、排水路７１に沿って流れる雨水や雪解け水は、土手状の突出部１９によって左右の側面１９Ａから垂れ落ちることがない。なお、突出部１９の根元１９Ｂが排水孔７０に向かって斜め下方に傾斜している構成であっても良い。
【００３５】
排水路７１には、排水孔７０に向かって水を誘導するガイド部７２が設けられている。ガイド部７２は、排水路７１から排水孔７０に連続する面に設けられ、連結部７９の側に向かって斜め下向きに形成された平面視略三角形の斜面である。排水路７１を基端１０Ａの側に向かって流れる雨水や雪解け水は、ガイド部７２によって、分流部８０の根元の側から排水孔７０に導かれる。
この構成によれば、筐体１１の天面１１Ｂにおいて、熱源である光源部５０からの熱によって高温となる部分から雨水や雪解け水を排水することができる。よって、排水孔７０から氷柱が発生するのを防止することができる。
【００３６】
図７は、図６のＩＩ−ＩＩ断面図である。図７に示すように、排水孔７０は、光源室５８の側の一方の内壁面７３Ａが、結線室２１の側の他方の内壁面７３Ｂよりも、天面１１Ｂから底面１１Ａに向かう傾斜が緩やかになっている。この構成によれば、排水路７１を流れる雨水や雪解け水は、光源室５８の側の一方の内壁面７３Ａに沿って流れ、排水孔７０から排水される。よって、排水路７１を流れる雨水や雪解け水が、排水孔７０に到達した際の勢いで結線室２１の側の他方の内壁面７３Ｂに当たって、他方の内壁面７３Ｂを伝って落ちることがない。
【００３７】
本実施形態において、器具本体１０は先端１０Ｂが上側となるように傾斜させて設置することがある。このとき、内壁面７３Ａが基端１０Ａ側に傾いた状態になると、ガイド部７２からの雨水や雪解け水は、ガイド部７２から内壁面７３Ａに伝わらない場合がある。したがって、内壁面７３Ａの水平面からの傾斜角度は、器具本体１０を傾斜させた状態においても、基端１０Ａ側には傾斜しない角度で形成されている。
本実施形態においては、内壁面７３Ａの水平面からの傾斜角度は６８°に形成されており、器具本体１０の傾斜可能角度は２０°に設定されており、器具本体１０を傾斜させ設置した場合でも、内壁面７３Ａが基端１０Ａ側に傾斜することはない。
また、内壁面７３Ａの下端部は、内壁面７２Ｂの下端部よりも下方に位置するように構成されている。この構成によれば、雨水や雪解け水は温度の高い内壁面７３Ａから排水されやすくなり氷柱の発生を抑えることができる。
本実施形態においては、内壁面７３Ａの下端部から内壁面７３Ｂの下端部に結ぶ線の角度は２１°に形成されている。この構成によれば、器具本体１０を２０°傾斜させた場合でも、７３Ａの下端部は７３Ｂの下端部より下方に位置することとなる。
排水孔７０は、光源室５８の側の一方の内壁面７３Ａが光源部５０からの熱によって高温となっている。これにより、排水孔７０の一方の内壁面７３Ａに沿って雨水や雪解け水を排水させることで、排水孔７０から氷柱が発生するのを防ぐことができる。
【００３８】
排水孔７０は、平面視での面積が少なくとも４００ｍｍ２程度であるのが望ましい。これにより、排水孔７０にゴミ等の異物が詰まるのを抑制することができる。
【００３９】
図８は、図２のＩＩＩ−ＩＩＩ断面図であり、蓋体２２と排水孔７０との位置関係を示す図である。図８に示すように、排水路７１のガイド部７２と、排水孔７０と、は蓋体２２によって庇状に覆われている。蓋体２２は、排水路７１を流れる雨水や雪解け水の流れを妨げることなく、排水孔７０に導くように、排水路７１との間に隙間Ｇを有している。また、この蓋体２２と、排水路７１との間の隙間Ｇは、排水路７１を流れる雨水や雪解け水と共に、天面１１Ｂの上のゴミ等の異物が排水孔７０に流れ込まないように堰き止める機能を有している。よって蓋体２２と、排水路７１との間の隙間Ｇは、排水孔７０の内壁面７３Ａの下端部と内壁面７３Ｂの下端部の隙間よりも小さいほうが望ましい。
【００４０】
このように、排水路７１のガイド部７２と、排水孔７０と、を蓋体２２で庇状に覆うことで、ガイド部７２や排水孔７０近傍の温度の低下を抑えることができる。これによって、排水孔７０から氷柱が発生するのを抑制することができる。また、雪が直接に排水孔７０に行くことが無く、排水孔７０が積雪によって詰まるのを防ぐことができる。
【００４１】
以上説明したように、本実施形態では、一端の側の結線室２１と、他端の側の光源室５８とに仕切られた器具本体１０を備え、器具本体１０は、光源室５８の両脇に沿って、天面１１Ｂから突出する突出部１９を備え、突出部１９の根元１９Ｂであって、結線室２１と光源室５８との境界に、器具本体１０の天面１１Ｂから底面１１Ａに連通する排水孔７０が備えられている。
この構成によれば、光源部５０からの熱で熱くなっている光源室５８の天面１１Ｂから、器具本体１０の中を通して、底面１１Ａに排水することができ、雪解け水が排水孔７０を通る際に冷やされて排水孔７０から氷柱が発生するのを防ぐことができる。また、突出部１９によって、雪解け水が天面１１Ｂから側面１９Ａに垂れることが無く、側面１９Ａからの氷柱の発生を防ぐことができる。
【００４２】
また、本実施形態では、光源室５８の天面１１Ｂは、裏面に光源部５０が熱的に接続されており、排水孔７０に向けて下方に傾斜している。この構成によれば、光源部５０からの熱で熱くなっている天面１１Ｂの上を伝って、排水孔７０に向けて雪解け水を流すことができる。よって、雪解け水が天面１１Ｂの上や、排水孔７０の中で氷結することがなく、天面１１Ｂや排水孔７０から氷柱が発生するのを防ぐことができる。
【００４３】
また、本実施形態では、突出部１９の上面１９Ｃは、器具本体１０の天面１１Ｂに向かって下方に傾斜している。この構成によれば、突出部１９の上面１９Ｃに積もった雪や、上面１９Ｃの上で発生した雪解け水を天面１１Ｂに導くことができる。よって、突出部１９の上面１９Ｃに積もった雪や、上面１９Ｃの上で発生した雪解け水が突出部１９の側面１９Ａの側から落下するのを防ぐことができる。よって、器具本体１０からの、落雪や、氷柱の発生を抑制することができる。
【００４４】
また、本実施形態では、光源室５８の天面１１Ｂには、排水孔７０に向かって下方に傾斜するガイド部７２が設けられ、ガイド部７２は、天面１１Ｂの中央の側に向かって傾斜している。この構成によれば、光源部５０からの熱によって熱くなっている天面１１Ｂから排水孔７０に効率よく雪解け水を導くことができると共に、光源部５０からの熱の影響が強い天面１１Ｂの中央の側から排水孔７０に雪解け水を流すことができる。よって、雪解け水が冷やされる前に排水孔７０から排水させることができ、排水孔７０から氷柱が発生するのを防ぐことができる。
【００４５】
また、本実施形態では、排水孔７０は、当該排水孔７０を挟んで対向する光源室５８の側の一方の内壁面７３Ａと、結線室２１の側の他方の内壁面７３Ｂとは、光源室５８の側の一方の内壁面７３Ａが、結線室２１の側の内壁面７３Ｂに比べて傾斜が緩やかに形成されている。
また、器具本体１０を傾斜させて設置した場合に、内壁面７３Ａが基端１０Ａの側に傾斜しない角度で形成されており、また、内壁面７３Ａの下端部が内壁面７３Ｂの下端部より下方に位置するよう形成されている。
この構成によれば、光源部５０からの熱によって熱くなっている光源室５８の側の一方の内壁面７３Ａに沿って雪解け水を流して排水孔７０から排水することができる。これによって、排水孔７０から氷柱が発生するのを防ぐことができる。また、結線室２１の側の他方の内壁面７３Ｂの側に水が流れていくのを抑制することができ、結線室２１の側の他方の内壁面７３Ｂから氷柱が発生するのを防ぐことができる。
【００４６】
また、本実施形態では、排水孔７０は、結線室２１を塞ぐ蓋体２２で庇状に覆われている。この構成によれば、排水孔７０の温度低下を防ぐことができ、排水孔７０から氷柱が発生するのを防ぐことができる。また、排水孔７０にゴミ等の異物が詰まるのを防ぐことができる。
【００４７】
また、本実施形態では、光源室５８の天面１１Ｂには、一対の突出部１９の根元１９Ｂにそれぞれ設けられた排水孔７０に向かうように水を分流させる分流部８０が設けられている。この構成によれば、天面１１Ｂの上を流れる雨水や雪解け水を二つの排水孔７０に分けて排水することができる。よって、一方の排水孔７０が詰まった場合であっても、他方の排水孔７０から排水を行うことができる。
【００４８】
また、本実施形態では、突出部１９は、天面１１Ｂを膨出させて形成され、内部に凹部３０を備え、凹部３０に光源部５０に電源を供給する電源部６０を配置した。この構成によれば、突出部１９に電源部６０からの熱を伝熱して、突出部１９に積もった雪を融かすことができる。よって、突出部１９から氷柱が発生するのを防ぐことができる。
【００４９】
なお、上述した実施形態は、あくまでも本発明の一態様を例示するものであって、本発明の趣旨を逸脱しない範囲で任意に変形、及び応用が可能である。
【００５０】
例えば、上述した実施形態において、照明器具１を道路照明として用いる場合を例に説明したが、これに限らず、任意の照明器具に適用できる。
【００５１】
また、上述した実施形態において、光源部５０が備える発光素子の一例としてＬＥＤ５３を例示したが、発光素子は、ＬＥＤ５３ではなく有機ＥＬ素子などの他の素子でもよい。
【００５２】
また、上述した実施形態において、筐体１１の天面１１Ｂを膨出させて内部に凹部３０を備えた突出部１９を形成する構成を例示したが、これに限らず、突出部１９は、内部に凹部３０を有することなく天面１１Ｂに設けられていても良い。
【符号の説明】
【００５３】
１  照明器具
１０  器具本体
１０Ａ  基端
１０Ｂ  先端
１１  筐体
１１Ａ  底面
１１Ｂ  天面
１９  突出部
１９Ａ  側面
１９Ｂ  根元
１９Ｃ  上面
２１  結線室
２２  蓋体
３０  凹部
５０  光源部
５８  光源室
６０  電源部
７０  排水孔
７１  排水路
７２  ガイド部
７３Ａ  内壁面
７３Ｂ  内壁面
８０  分流部
【図１】
2018106988.tif 000003
【図２】
2018106988.tif 000004
【図３】
2018106988.tif 000005
【図４】
2018106988.tif 000006
【図５】
2018106988.tif 000007
【図６】
2018106988.tif 000008
【図７】
2018106988.tif 000009
【図８】
2018106988.tif 000010